(57)【特許請求の範囲】
【請求項１】
複数の一重化装置（Ａ，Ｂ）を備えるクロック供給装置であって、
前記一重化装置（Ａ）は、
出力の接続を切り替える切り替え手段と、
クロックの停止および供給を検出し、クロックの停止に伴いクロック断信号を出力し、クロックの供給に伴いクロック供給信号を出力するクロック断検出手段と、
前記クロック断信号に応じて他の一重化装置（Ｂ）に前記クロック断信号を出力するとともに前記切り替え手段にクロックの出力の停止を指示し、前記クロック供給信号に応じて前記他の一重化装置（Ｂ）に前記クロック供給信号を出力するとともに前記切り替え手段にクロックの出力の開始を指示するクロック出力ゲート制御手段と、
前記他の一重化装置（Ｂ）よりクロック断信号を受信すると、クロック断信号を送信した前記他の一重化装置（Ｂ）の出力が供給されるべき該一重化装置（Ｂ）の後段の装置にクロックを供給し、前記他の一重化装置（Ｂ）よりクロック供給信号を受信すると、クロック供給信号を送信した前記他の一重化装置（Ｂ）の出力が供給されるべき該一重化装置（Ｂ）の前記後段の装置へのクロックの供給を停止する対向装置出力制御手段を備えることを特徴とするクロック供給装置。
【請求項２】
前記対向装置出力制御手段に、任意の他の一重化装置（Ｂ）の後段の装置にクロックの供給または停止を行うように外部から指示するためのスイッチ手段を備えることを特徴とする請求項１記載のクロック供給装置。
【請求項３】
対向装置出力制御手段は、前記他の一重化装置（Ｂ）の出力が供給されるべき該一重化装置（Ｂ）の前記後段の装置へのクロックの供給または停止を行う対向装置クロック出力手段と、
前記他の一重化装置（Ｂ）より受信した前記クロック断信号または前記クロック供給信号に応じて前記対向装置クロック出力手段に、前記他の一重化装置（Ｂ）の出力が供給されるべき該一重化装置（Ｂ）の前記後段の装置へのクロックの供給または停止を指示する対向装置クロック出力ゲート制御手段を備えることを特徴とする請求項１または２に記載のクロック供給装置。
【請求項４】
クロック供給状態を表示する表示手段を備えることを特徴とする請求項１〜３のいずれかに記載のクロック供給装置。
【請求項５】
前記一重化装置にクロックを分配するクロック分配手段を備えることを特徴とする請求項１〜４のいずれかに記載のクロック供給装置。
【請求項６】
前記後段の装置は、一重化装置であることを特徴とする請求項１〜５のいずれかに記載のクロック供給装置。
【発明の詳細な説明】
【０００１】
【発明の属する技術分野】
本発明は、特に複数の一重化装置を備えるクロック供給装置に属する。
【０００２】
【従来の技術】
例えば、局用交換機では、ネットワークの基本となるクロックに同期動作させるために、基本クロックをクロック分配装置を介し一重化及び二重化の各装置に分配する（特開平５−１２２７５０号公報）。
ところで、システム構成上、その基本クロックを装置間のインタフェースで定義されるクロックに載せ換えて使用することがある。そのようにインタフェースする装置の組み合わせとしては、二重化装置対二重化装置、二重化装置対一重化装置及び一重化装置対一重化装置が考えられる。
従来、このようなシステムの運用中（サービス中）において、二重化装置が相手装置にクロックのみを送信している際、その運転系装置にクロック送信周辺回路以外の部品故障等の障害が発生した場合には、予備系装置への運転の切り替えを行うことで相手装置に対してクロックを送信していた。これにより、相手装置の機能停止を防ぐことが出来た。また運用（サービス）も停止することなく供給することが出来き、運転系装置を予備系装置に切り替えた後に障害装置を交換することもできる。
【０００３】
【発明が解決しようとする課題】
しかしながら、従来技術には以下に掲げる問題点があった。
つまり、一重化装置が他一重化装置にクロック送信のみを送信している場合には、クロック送信周辺回路以外に部品故障等の障害が発生すると、予備系装置がないため装置を他装置に切り替えることが出来ない。更に、障害が簡単に復旧しない場合には、最終的に障害装置を交換するしかなく、相手装置へのクロック送信が絶たれ、相手装置の機能までも停止させてしまい、結果的に運用の一時停止状態に陥る可能性がある。
【０００４】
本発明は斯かる問題点を鑑みてなされたものであり、その目的とするところは、一重化装置対他一重化装置構成において、クロック分配装置からの基本クロックの断を一重化装置で検出した場合、また一重化装置でクロック送信装置以外の部品故障等の障害が発生した場合でも、他一重化装置にクロック送信を絶つことなく（運用を停止することなく）障害装置を交換出来るクロック供給装置を提供する点にある。
【０００５】
【課題を解決するための手段】
本発明は上記課題を解決すべく、以下に掲げる構成とした。
請求項１記載の発明の要旨は、複数の一重化装置（Ａ，Ｂ）を備えるクロック供給装置であって、
前記一重化装置（Ａ）は、
出力の接続を切り替える切り替え手段と、
クロックの停止および供給を検出し、クロックの停止に伴いクロック断信号を出力し、クロックの供給に伴いクロック供給信号を出力するクロック断検出手段と、
前記クロック断信号に応じて他の一重化装置（Ｂ）に前記クロック断信号を出力するとともに前記切り替え手段にクロックの出力の停止を指示し、前記クロック供給信号に応じて前記他の一重化装置（Ｂ）に前記クロック供給信号を出力するとともに前記切り替え手段にクロックの出力の開始を指示するクロック出力ゲート制御手段と、
前記他の一重化装置（Ｂ）よりクロック断信号を受信すると、クロック断信号を送信した前記他の一重化装置（Ｂ）の出力が供給されるべき該一重化装置（Ｂ）の後段の装置にクロックを供給し、前記他の一重化装置（Ｂ）よりクロック供給信号を受信すると、クロック供給信号を送信した前記他の一重化装置（Ｂ）の出力が供給されるべき該一重化装置（Ｂ）の前記後段の装置へのクロックの供給を停止する対向装置出力制御手段を備えることを特徴とするクロック供給装置に存する。
請求項２記載の発明の要旨は、前記対向装置出力制御手段に、任意の他の一重化装置（Ｂ）の後段の装置にクロックの供給または停止を行うように外部から指示するためのスイッチ手段を備えることを特徴とする請求項１記載のクロック供給装置。
請求項３記載の発明の要旨は、対向装置出力制御手段は、前記他の一重化装置（Ｂ）の出力が供給されるべき該一重化装置（Ｂ）の前記後段の装置へのクロックの供給または停止を行う対向装置クロック出力手段と、
前記他の一重化装置（Ｂ）より受信した前記クロック断信号または前記クロック供給信号に応じて前記対向装置クロック出力手段に、前記他の一重化装置（Ｂ）の出力が供給されるべき該一重化装置（Ｂ）の前記後段の装置へのクロックの供給または停止を指示する対向装置クロック出力ゲート制御手段を備えることを特徴とする請求項１または２に記載のクロック供給装置に存する。
請求項４記載の発明の要旨は、クロック供給状態を表示する表示手段を備えることを特徴とする請求項１〜３のいずれかに記載のクロック供給装置に存する。請求項５記載の発明の要旨は、前記一重化装置にクロックを分配するクロック分配手段を備えることを特徴とする請求項１〜４のいずれかに記載のクロック供給装置に存する。
請求項６記載の発明の要旨は、前記後段の装置は、一重化装置であることを特徴とする請求項１〜５のいずれかに記載のクロック供給装置に存する。
【０００６】
【発明の実施の形態】
ネットワークの基本となるクロックをクロック分配装置から一重化装置へ、更に一重化装置から他一重化装置へクロックを送信している構成において、クロックの送信元である一重化装置の部品故障等により障害が発生した場合、クロックを供給される側の他一重化装置は一重化装置からのクロック信号を絶たれ、正常な機能が保証されなくなる。また、クロックの送信元である一重化装置におけるクロック送信部以外の故障により余儀なく該装置を交換する際にも、同様に他一重化装置へのクロック送信が絶たれる。
【０００７】
そして他一重化装置にまた別の装置が接続されている場合には、他一重化装置を含めそれに関連する（接続される）装置までも正常な機能が保証されなくなる。
【０００８】
上記問題を改善すべく、本発明では上記の一重化装置と他一重化装置の構成が複数存在する構成において、クロック分配装置から一重化装置のクロックが絶たれた場合、またクロック送信部以外の機能部が故障し、装置の交換の必要が生じた場合に、となりあう一重化装置同士互いの障害状態、装置交換をする等を認識することにより、障害のないとなりの一重化装置から、障害の起きている一重化装置に接続される他一重化装置へクロックを供給することにより他一重化装置の機能の正常性を保証するものである。
【０００９】
以下、本発明の実施の形態を図面に基づいて詳細に説明する。
【００１０】
図１を参照されたい。図１は、本発明の第１の実施の形態のネットワークにおけるクロック分配の構成を表すブロック図である。
最初に概要を説明する。クロック発信装置１０は、動作の基本となるクロックを、ユニット１４内のクロック分配装置１１を介して一重化装置１２Ａ及び一重化装置１２Ｂに分配する。それぞれの一重化装置１２Ａ，１２Ｂは構成及び機能が同等であり、他一重化装置１８Ａ、他一重化装置１８Ｂにそれぞれからクロックを供給する。
【００１１】
例えば一重化装置１２Ａがクロック分配装置１１からのクロックの断を検出した場合、一重化装置１２Ａは、対向用クロックケーブル１７及びＢＷＢ（バックワイヤリングボード）１５を経由して一重化装置１２Ｂに障害情報を通知する。一重化装置１２Ｂは障害情報を受け、一重化装置１２Ａに対し対向用クロックケーブル１７を経由して、他一重化装置１８Ａにクロックを供給することができる。
【００１２】
また一重化装置１２Ａが故障し、該装置の交換を行う場合は、作業者が一重化装置Ｂのチャタリング防止クロック選択スイッチ１３ＢをＯＮすることにより、一重化装置１２Ａから一重化装置１２Ｂにクロックの供給元が切り替わり、一重化装置１２Ｂから他一重化装置１８Ａにクロックを供給することができる。
【００１３】
次に詳細を説明する。クロック発信装置１０は、ネットワークの基本となる発信をする。ユニット１４は、一重化装置１２Ａ、一重化装置１２Ｂ及び、クロック発信装置１０から基本クロックを受信し、一重化装置１２Ａ、一重化装置１２Ｂに分配するクロック分配装置１１で構成される。
【００１４】
更にクロックはＢＷＢ（バックワイヤリングボード）１５の配線を通じ、クロック伝送ケーブル１６Ａ，１６Ｂから他一重化装置１８Ａ，他一重化装置１８Ｂそれぞれに供給される。
【００１５】
チャタリング防止クロック選択スイッチ１３Ａ，１３Ｂは、クロックの供給ルートを「自装置とインタフェースする他一重化装置のみにする」か、「自装置とインタフェースする他一重化装置と対向する他一重化装置を含めた両方にクロックを供給するか」を選択するものである。（ここで言う「対向」とは、例えば一重化装置１２Ａを基本とすれば一重化装置１２Ｂが対向装置という意味である。他一重化装置の「対向」も同様の意味である。）また、対向用クロックケーブル１７はクロック供給ルートを変えた時の実際のクロック及びクロック供給ルートを変更するための制御信号が含まれる。
【００１６】
図２に、一重化装置１２Ａ，一重化装置１２Ｂ、ＢＷＢ１５、クロック伝送ケーブル１６Ａ，１６Ｂ、対向用クロックケーブル１７の詳細を示す。即ち、一重化装置１２Ａ，一重化装置１２Ｂの機能ブロック及び、対向一重化装置にクロックを接続するための対向用クロックケーブル１７、他一重化装置に対しクロックを供給するためのクロック伝送ケーブル１６Ａ，１６Ｂの詳細である。チャタリング防止クロック選択スイッチ１３は前述の通りである。
【００１７】
クロック断検出部２０３Ａ，２０３Ｂは、図１のクロック分配装置１１からのクロックが供給されない状態を検出する。対向装置クロック出力部２０４Ａ，２０４Ｂは一重化装置１２Ａ内の対向装置クロック出力部２０４Ａであれば他一重化装置１８Ｂへ、一重化装置１２Ｂ内の対向装置クロック出力部２０４Ｂであれば、他一重化装置１８Ａへクロックを送出する。対向装置クロック出力ゲート制御部２０５Ａ，２０５Ｂは、対向装置クロック出力部２０４Ａ，２０４Ｂのクロック出力の許可または禁止を対向一重化装置の状態によって制御する。クロック出力部２０６Ａ，２０６Ｂは、通常時（対向他一重化装置へのクロックを供給しない場合）、一重化装置１２Ａであれば他一重化装置１８Ａへ、一重化装置１２Ｂであれば、他一重化装置１８Ｂへクロックを供給する。クロック出力ゲート制御部２０７Ａ，２０７Ｂは、クロック出力部のクロック出力の許可または禁止の制御をする。
【００１８】
そしてユニット内のＢＷＢ１５には以下の信号線が配線される。対向用クロック２１０Ａ，２１０Ｂは、ＢＷＢ１５、クロック端子２１５Ａ，２１５Ｂを介して、それぞれ対向一重化装置へクロックを供給する場合の対向用クロックであり、これらの信号は対向用クロックケーブル１７で対向一重化装置に接続される。
【００１９】
またクロック送出要求信号２１１Ａ、２１１Ｂ（この信号はクロック送出停止要求としても使用）は対向一重化装置に対しクロック出力の停止／停止解除要求を行う。クロック断信号２１２Ａ，２１２Ｂ（この信号はクロック断復旧信号としても使用）は自装置でクロック断検出した場合、対向一重化装置に対してクロック断状態を通知する。またクロック断復旧時は対向する一重化装置にクロック断復旧信号を通知する。
【００２０】
通常時のクロック２１３Ａ，２１３Ｂはクロック伝送ケーブル１６Ａ，１６Ｂで一重化装置１２Ａと他一重化装置１８Ａ，一重化装置１２Ｂと他一重化装置１８Ｂに接続される。
【００２１】
図２におけるクロック分配装置１１から一重化装置１２Ａに供給されている基本クロックが停止状態になった場合の一重化装置１２Ｂから他一重化装置１８Ａへのクロック供給への切り替えについて、図３に示す制御シーケンスを用いて説明する。
【００２２】
まず、一重化装置１２Ａは通常、クロック出力部２０６Ａのクロック出力ゲートをＯＰＥＮにして他一重化装置１８Ａにクロック信号を送信している（３３Ａ）。一重化装置１２Ｂと他一重化装置１８Ｂも同様である（３３Ｂ）。
【００２３】
そしてクロック分配装置１１から一重化装置１２Ａへの基本クロック信号が断状態になるとクロック断検出部２０３Ａがクロック信号断状態を検出し、クロック出力ゲート制御部２０７Ａへ通知し、これを受けてクロック出力ゲート制御部２０７Ａから一重化装置１２Ｂへクロック断のクロック断信号２１２Ｂが送出される。その後、クロック出力ゲート制御部２０７Ａは、クロック出力部２０６Ａに他一重化装置１８Ａに対するクロック出力のゲート指示をする（３４，３５，３６）。
【００２４】
クロック断のクロック断信号２１２Ｂを受けた一重化装置１２Ｂの対向装置クロック出力ゲート制御部２０５Ｂは、対向装置クロック出力部２０４ＢのゲートをＯＰＥＮし（３７）、ＢＷＢ１５のクロック端子２１５Ａを経由して他一重化装置１８Ａへクロックを供給する。このとき一重化装置１２Ｂは他一重化装置１８Ａだけでなく他一重化装置１８Ｂにも同時にクロックを出力している。
【００２５】
その状態から、クロック分配装置１１から一重化装置１２Ａへのクロック断状態が復旧した場合、クロック断検出部２０３Ａはクロックの復旧を確認し、クロック出力ゲート制御部２０７Ａにクロック断復旧を通知する。それを受けたクロック出力ゲート制御部２０７Ａは、一重化装置１２Ｂの対向装置クロック出力ゲート制御部２０５Ｂにクロック断復旧のクロック断信号２１２Ｂを送出する（３８）。それと同時に一重化装置１２Ａのクロック出力ゲート制御部２０７Ａは、クロック出力部２０６Ａのクロック出力ゲートを解除し、通常通り他一重化装置１８Ａにクロックを供給する（３１０）。
【００２６】
一方、一重化装置１２Ａのクロック出力制御部からクロック断復旧を表すクロック断信号２１２Ｂを受けた一重化装置１２Ｂは、対向装置クロック出力ゲート制御部２０５Ｂから対向装置クロック出力部２０４Ｂにクロック出力のゲートを指示し（３９）、今まで他一重化装置１８Ａに供給していたクロックの出力を停止する。
【００２７】
このように一重化装置１２Ａにクロックが供給されなくなった場合でも、一重化装置１２Ｂにクロック供給元を自動切替することにより他一重化装置１８Ａへクロックを供給することができる。
次に一重化装置１２Ａを装置故障により装置交換する場合の一重化装置１２Ｂから他一重化装置１８Ａへのクロック供給への切り替えについて、図４の制御シーケンスを用いて説明する。
【００２８】
前述のように一重化装置１２Ａは通常、クロック出力部２０６Ａのクロック出力ゲートをＯＰＥＮにして他一重化装置１８Ａにクロック信号を送信している（４３Ａ）。一重化装置１２Ｂと他一重化装置１８Ｂも同様である（４３Ｂ）。
【００２９】
その状態で一重化装置１２Ａにクロック供給部以外での障害及び故障（クロックは他一重化装置１８Ａに供給している状態）が発生し、装置交換を行う場合、まず作業者が一重化装置１２Ｂのチャタリング防止クロック選択スイッチ１３ＢをＯＮにする（４４）。それを対向装置クロック出力ゲート制御部２０５Ｂが検出し、一重化装置１２Ａのクロック出力ゲート制御部２０７Ａにクロック送出停止を表すクロック送出要求信号２１１Ｂを送出する。
【００３０】
更にそれを受けてクロック出力ゲート制御部２０７Ａは、クロック出力部２０６Ａのクロック出力をゲートし、他一重化装置１８Ａへのクロック出力を止める（４５）。それと同時に一重化装置１２Ｂの対向装置クロック出力ゲート制御部２０５Ｂは、対向装置クロック出力部２０４Ｂのクロック出力ゲートをＯＰＥＮし、ＢＷＢ１５のクロック端子２１５Ａを経由して他一重化装置１８Ａへクロックを供給する（４６）。このとき一重化装置１２Ｂは他一重化装置１８Ａだけでなく他一重化装置１８Ｂにも同時にクロックを出力している。その間に作業者は、一重化装置１２Ａの装置交換を行う（４７）。
【００３１】
装置交換後作業者は、一重化装置１２Ｂのチャタリング防止クロック選択スイッチ１３ＢをＯＦＦにする（４８）。それを対向装置クロック出力ゲート制御部２０５Ｂが検出し、一重化装置１２Ａのクロック出力ゲート制御部２０７Ａにクロック送出要求を表すクロック送出要求信号２１２Ａを送出する。該クロック送出要求信号２１１Ｂを受けて、装置交換後のクロック出力ゲート制御部２０７Ａは、クロック出力部２０６Ａのクロック出力のゲートをＯＰＥＮし（４１０）、他一重化装置１８Ａへのクロック出力を行う。それと同時に一重化装置１２Ｂの対向装置クロック出力ゲート制御部２０５Ｂは対向装置クロック出力部２０７Ｂのクロック出力をゲートする（４９）。
【００３２】
このように一重化装置１２Ａが障害または故障により装置交換をする場合でも、作業者が一重化装置１２Ｂのチャタリング防止クロック選択スイッチ１３ＢをＯＮしてから、装置交換するという手順をふむことにより、交換している間でも他一重化装置１８Ａへクロックを供給することができる。
【００３３】
本実施の形態に係る名前は上記の如く構成されているので、以下に掲げる効果を奏する。前述の第１の実施の形態に示した構成のように、同機能の一重化装置が複数あることを利用し、クロック送信側の二つの一重化装置のうちどちらか一方に傷害が発生した場合においても、該一重化装置に代わって、もう一方の一重化装置から後段の他一重化装置にクロックを供給する。これにより、今まではクロック送信側の一つの一重化装置に障害が発生した場合は、それに接続される一重化装置の動作も止めてしまっていたが、クロック送信側の全ての一重化装置に障害が発生しない限り、それらに接続される他一重化装置へのクロック供給を絶つことはない。従って信頼性の向上になる。
【００３４】
また装置交換の際も、図２中のチャタリング防止クロック選択スイッチ１３Ａ，１３ＢをＯＮすることにより他一重化装置へのクロックが絶たれることなく装置交換ができるという点から保守性、保守作業の容易性にもつながる。
【００３５】
本発明の第２の実施の形態を説明する。本発明の第２の実施の形態の基本的構成は、第１の実施の形態にほぼ同一であるが、クロック切り替え状態の表示、対向用クロックケーブルの有無を判断させることによりその保守性について更に工夫している。
【００３６】
図５に本発明の第２の実施の形態を示す。一重化装置１２Ａ１，１２Ｂ１は、その内部にそれぞれランプ制御部５１７Ａ，５１７Ｂを備え、そのほかの構成は、図１に示した一重化装置１２Ａ，１２Ｂにほぼ同じである。従って、第１の実施の形態に対応する部分の詳細の説明は省略する。
【００３７】
図６は、ランプ制御部５１７Ａのランプ表示例を示す。一重化装置１２Ａ１及び一重化装置１２Ｂ１の装置内にランプ制御部５１７Ａ，５１７Ｂを設けることにより、現在の一重化装置から他一重化装置へどのようなルートでクロックが供給されているかが図６に示したランプの色によって知ることが出来る。図７は、図５に示したランプ制御部５１７Ａの内部回路を示し、図８は図７に示したＤＥＣＯＤＥＲ６００の入力値とそれに対応したランプの状態を示す。ランプ制御部５１７Ａは、周辺回路より受信した情報を元にＤＥＣＯＤＥＲ６００、インバータ５１、ＯＲゲート５２、ＮＡＮＤゲート５３を介して図６に示したランプ制御を実現する。ランプ制御部５１７Ｂの構成は、ランプ制御部５１７Ａに準じるものであるので説明を省略する。
【００３８】
ランプ制御部５１７Ａ，５１７Ｂはチャタリング防止クロック選択スイッチ１３Ａ，１３Ｂの状態、クロック断検出部２０３Ａ，２０３Ｂからのクロック断信号２１２Ａ，２１２Ｂ（クロック断／復旧）、及び対向装置クロック出力ゲート制御部２０４Ａ，２０４Ｂからのクロック送出要求信号２１１Ａ，２１１Ｂ（クロック送出要求／送出停止）を論理回路に入れ込み、ランプの状態を変化させる。
【００３９】
本実施の形態に係るクロック供給装置は上記の如く構成されているので、以下に掲げる効果を奏する。
作業者は、ランプの点灯状態によりシステムの状態を確認しながら作業を確実に実行できる。メンテナンス作業の信頼性が高まる。
【００４０】
また、対向用クロックケーブル１７中にクロック実装信号５１６Ａ，５１６Ｂ（信号はアース）を互いの一重化装置同士で監視することにより、対向用クロックケーブル１７の抜け（コネクタのはずれ）を検出することが出来きるので保守性向上の効果もある。
【００４１】
なお、本実施の形態においては、本発明はそれに限定されず、本発明を適用する上で好適に適用することができる。
【００４２】
また、上記構成部材の数、位置、形状等は上記実施の形態に限定されず、本発明を実施する上で好適な数、位置、形状等にすることができる。
【００４３】
なお、各図において、同一構成要素には同一符号を付している。
【００４４】
【発明の効果】
本発明は以上のように構成されているので、以下に掲げる効果を奏する。
一重化装置対他一重化装置構成において、クロック分配装置からの基本クロックの断を一重化装置で検出した場合、また一重化装置でクロック送信装置以外の部品故障等の障害が発生した場合でも、他一重化装置にクロック送信を絶つことなく（運用を停止することなく）障害装置を交換出来る。
【図面の簡単な説明】
【図１】本発明の第１の実施の形態のネットワークにおけるクロック分配の構成を表すブロック図である。
【図２】図１に示した一重化装置１２Ａ，１２Ｂ、ＢＷＢ１５、クロック伝送ケーブル１６Ａ，１６Ｂ、対向用クロックケーブル１７の詳細を示すブロック図である。
【図３】図２に示した、一重化装置１２Ａ，１２Ｂのクロック障害／復旧時のクロック供給ルート制御シーケンス図である。
【図４】図２に示した一重化装置１２Ａ，１２Ｂの装置交換時のクロック供給ルート制御シーケンス図である。
【図５】本発明の第２の実施の形態のネットワークにおけるクロック分配の構成を表すブロック図である。
【図６】ランプ制御部５１７Ａのランプ表示例を示す図である。
【図７】図５に示したランプ制御部５１７Ａの内部回路図である。
【図８】図７に示したＤＥＣＯＤＥＲ６００の入力値とそれに対応したランプの状態を示す図である。
【符号の説明】
１０  クロック発信装置
１１  クロック分配装置
１２Ａ，１２Ｂ      一重化装置
１２Ａ１，１２Ｂ１  一重化装置
１３Ａ，１３Ｂ  チャタリング防止クロック選択スイッチ
１４  ユニット
１５  ＢＷＢ（バックワイヤリングボード）
１６Ａ，１６Ｂ  クロック伝送ケーブル
１７  対向用クロックケーブル
１８Ａ，１８Ｂ  他一重化装置
５１  インバータ
５２  ＯＲゲート
５３  ＮＡＮＤゲート
２０３Ａ，２０３Ｂ  クロック断検出部
２０４Ａ，２０４Ｂ  対向装置クロック出力部
２０５Ａ，２０５Ｂ  対向装置クロック出力ゲート制御部
２０６Ａ，２０６Ｂ  クロック出力部
２０７Ａ，２０７Ｂ  クロック出力ゲート制御部
２１０Ａ，２１０Ｂ  対向用クロック
２１１Ａ，２１１Ｂ  クロック送出要求信号
２１２Ａ，２１２Ｂ  クロック断信号
２１３Ａ，  ２１３Ｂ  クロック
２１５Ａ，２１５Ｂ  クロック端子
５０５Ａ，５０５Ｂ  対向装置クロック出力ゲート制御部
５１７Ａ，５１７Ｂ  ランプ制御部
６００  ＤＥＣＯＤＥＲ
【図１】
0003544487.tif 000002
【図２】
0003544487.tif 000003
【図３】
0003544487.tif 000004
【図４】
0003544487.tif 000005
【図５】
0003544487.tif 000006
【図６】
0003544487.tif 000007
【図７】
0003544487.tif 000008
【図８】
0003544487.tif 000009